(57)【要約】【課題】畳の防湿性能をより高いものにできる防湿畳構造を提供する。【解決手段】隣り合う畳１，１の境界部の各下面側に防湿性クッション材５，５が取り付けられ、両クッション材５，５が上下方向につぶれ変形をして側方に張り出し押付け状態となって前記隣り合う畳１，１間が防湿状態にされている。また、隣り合う各畳１，１の下面側が防湿シート６，６でカバーされ、該防湿シート６は畳表３の縫い目７を下から塞ぐようにカバーしており、また、該防湿シート６と防湿性クッション材５とは重なり状態にされて防湿状態に連続しているのもよい。【選択図】      図１
2005256502.tif 000002
【特許請求の範囲】
【請求項１】
隣り合う畳の境界部の各下面側に防湿性クッション材が取り付けられ、両クッション材が上下方向につぶれ変形をして側方に張り出し押付け状態となって前記隣り合う畳間が防湿状態にされていることを特徴とする防湿畳構造。
【請求項２】
前記隣り合う各畳の下面側が防湿シートでカバーされ、該防湿シートは畳表の縫い目を下から塞ぐようにカバーしており、該防湿シートと防湿性クッション材とは重なり状態にされて防湿状態に連続している請求項１に記載の防湿畳構造。
【請求項３】
隣り合う畳の境界部下面側に防湿材が備えられ、該防湿材で前記隣り合う畳間が防湿状態にされていることを特徴とする防湿畳構造。
【請求項４】
畳表の縫い目が、下から防湿材でカバーされていることを特徴とする防湿畳構造。
【発明の詳細な説明】
【技術分野】
【０００１】
本発明は、防湿畳構造に関する。
【背景技術】
【０００２】
防湿性能の高められた畳が種々提供されているが、それでも、梅雨時期に、畳の下の下地板が含水率の上昇で変色してしまうことがある。
【発明の開示】
【発明が解決しようとする課題】
【０００３】
そこで、本発明者は、その原因を突き止めるため調査や実験を行ったところ、畳自体が防湿性の高い素材で構成されている場合であっても、室内の湿気は、隣り合う畳の境界部を通じて畳の下に入り込んでしまい、下地板の含水率を上昇させてしまうことが突き止められた。また、室内の湿気が、畳表の縫い目を通じて畳の下に入り込み、下地板の含水率を上昇させてしまうこともわかった。
【０００４】
本発明は、上記のような解明に基づいてなされたものであって、畳の防湿性能をより高いものにすることができる防湿畳構造を提供することを課題とする。
【課題を解決するための手段】
【０００５】
上記の課題は、隣り合う畳の境界部の各下面側に防湿性クッション材が取り付けられ、両クッション材が上下方向につぶれ変形をして側方に張り出し押付け状態となって前記隣り合う畳間が防湿状態にされていることを特徴とする防湿畳構造によって解決される。
【０００６】
この構造では、隣り合う畳間が両防湿性クッション材によって防湿状態にされているので、室内の湿気が、畳間を通じて畳の下に入り込んで下地板の含水率を上昇させてしまうのを防止することができ、それを通じて、畳の防湿性能を高いものにすることができる。
【０００７】
しかも、防湿性クッション材は、隣り合う畳の境界部の各下面側に設られ、両防湿性クッション材が上下方向につぶれ変形をして側方に張り出し押付け状態となることによって、隣り合う畳間の防湿状態が形成されるようになされているので、防湿性クッション材を予め畳に取り付けておいても、クッション材が隣り合う畳間に挟み込まれて畳間に隙間を生じるというようなことも起こらないし、現場での畳の施工も適正かつ容易に行っていくことができる。
【０００８】
上記の防湿畳構造において、隣り合う各畳の下面側が防湿シートでカバーされ、該防湿シートは、畳表の縫い目を下から塞ぐようにカバーしており、該防湿シートと防湿性クッション材とは重なり状態にされて防湿状態に連続しているとよい。
【０００９】
この場合は、各畳の下面側が防湿シートでカバーされているので、この防湿シートによって、畳それ自身の防湿性能を高いものにすることができる。しかも、この防湿シートは畳表の縫い目を下から塞ぐようにカバーしているので、室内の湿気が、畳表の縫い目を通じて畳の下に入り込んで下地板の含水率を上昇させてしまうのが防がれ、畳の防湿性能をより高いものにすることができる。加えて、防湿シートと防湿性クッション材とは重なり状態にされて防湿状態に連続するようになされているので、畳と下地板とが防湿層で完全に絶縁され、万全な防湿状態を形成することができる。
【００１０】
また、上記の課題は、基本的には、隣り合う畳の境界部下面側に防湿材が備えられ、該防湿材で前記隣り合う畳間が防湿状態にされていることを特徴とする防湿畳構造によって解決される。この構造では、室内の湿気が、隣り合う畳間を通じて畳の下に入り込んで下地板の含水率を上昇させてしまうのが防がれ、畳の防湿性能を高いものにすることができる。しかも、防湿材は、隣り合う畳の境界部下面側に備えられているので、防湿材が隣り合う畳間に挟み込まれて畳間に隙間を生じさせてしまうこともないし、防湿材が畳の上面側から見えてしまうということもない。即ち、この発明は、隣り合う畳間の防湿のための具体的構造に制限はなく、要は、隣り合う畳間の防湿のために、隣り合う畳の境界部下面側に防湿材が備えられていればよいという趣旨である。
【００１１】
また、上記の課題は、基本的には、畳表の縫い目が、下から防湿材でカバーされていることを特徴とする防湿畳構造によっても解決される。即ち、この構造では、室内の湿気が畳表の縫い目を通じて畳の下に入り込んでしまうのを防止することを通じて畳の防湿性能を高いものにすることができる。即ち、この発明では、隣り合う畳間の防湿の有無等は問わないという趣旨である。
【発明の効果】
【００１２】
本発明は、以上のとおりのものであるから、畳の防湿性能をより高いものにすることができる。
【発明を実施するための最良の形態】
【００１３】
次に、本発明の実施最良形態を図面に基づいて説明する。実施形態の防湿畳構造に用いる畳１を示す図１（イ）において、２は芯材となる畳床、３は畳表、４は化粧縁であり、そして、５が防湿性クッション材、６が防湿シートである。畳表３は、畳床２の上面全体をカバーし、畳床２の側面部を通じて畳床２の下面側に回り込まされ、畳床の周端部において畳床２に上下方向に貫通するようにして縫い付けられている。
【００１４】
防湿シート６は、粘着剤付きのシートからなっていて、畳表３を畳床２に縫い付けた後に、畳表３の縫い目７を下から塞ぐようにカバーして、畳床２の下面の全体又はほぼ全体に貼り付けられている。
【００１５】
防湿性クッション材５は、化粧縁４が取り付けられた畳１の側縁部の下面側に、防湿シート６に重なるように取り付けられ、防湿性クッション材５と防湿シート６とが防湿状態に連続するようになされている。なお、防湿性クッション材５と防湿シート６とは、粘着剤などによってシール状態に接着されているとよい。
【００１６】
そして、図１（ロ）（ハ）に示すように、下地板８の上に畳１，１を隣り合わせで敷くことにより、各畳１，１の防湿性クッション材５，５が、そのクッション性によって、上下方向につぶれ変形をし、側方に張り出し、互いに押付け状態となり、それによって、隣り合う畳１，１間が両防湿性クッション材５，５によって防湿状態にされている。
【００１７】
なお、防湿性クッション材５の材質に制限はなく、要は、上下方向につぶれ変形をし側方に張り出し互いに押付け状態となって防湿状態を形成できるようなものであればよく、具体的には、ゴム状のクッション材などの防湿性を備えた各種クッション材が用いられてよい。
【００１８】
上記の防湿畳構造では、隣り合う畳１，１間が防湿性クッション材５，５によって防湿状態にされているので、室内の湿気が、畳１，１間を通じて畳１の下に入り込んで下地板８の含水率を上昇させてしまうのが防がれ、畳の防湿性能を高いものにすることができる。
【００１９】
しかも、防湿性クッション材５，５は隣り合う畳１，１の境界部の各下面側に取り付けられ、両防湿性クッション材５，５が上下方向につぶれ変形をして側方に張り出し押付け状態となることによって、隣り合う畳１，１間の防湿状態が形成されるようになされているから、畳を敷いていく際に、クッション材５，５が隣り合う畳間に挟み込まれて畳１，１間に隙間を生じさせるというようなことも起こらず、現場での畳の施工を適正かつ容易に行っていくことができる。
【００２０】
更に、本実施形態では、各畳１，１の下面側が防湿シート６，６でカバーされているので、この防湿シート６，６によって、畳それ自身の防湿性能を高いものにすることができるし、この防湿シート６は畳表３の縫い目７を下から塞ぐようにカバーしているので、室内の湿気が、畳表３の縫い目７を通じて畳１の下に入り込んで下地板の含水率を上昇させてしまうのも防がれ、畳の防湿性能をより高いものにすることができる。
【００２１】
また、上記のような防湿シート６を用いることで、畳床２それ自身の防湿性能の確保にコストをかける必要がなくなり、畳１をコスト的に有利に防湿状態にすることができ、また、畳床２それ自身に防湿性能がもたされている場合であっても、防湿シート６を用いることでより一層高い防湿性能を確保することができる。
【００２２】
更に、防湿シート６と防湿性クッション材５とは重なり状態にされて防湿状態に連続するようになされているので、畳１と下地板８とが防湿層で完全に絶縁され、万全な防湿状態を形成することができ、下地板８の変色を防ぐことができるのはもとより、室内の湿度変動も効果的に緩和することができる。
【００２３】
以上に、本発明の実施形態を示したが、本発明はこれに限られるものではなく、発明思想を逸脱しない範囲で各種の変更が可能である。例えば、上記の実施形態では、隣り合う畳の境界部に、各畳１，１の化粧縁４，４がそれぞれ備えられている場合を示しているが、同境界部においていずれか一方の畳の化粧縁が省略されていてもよいし、いずれの畳の化粧縁も省略されていてもよい。
【図面の簡単な説明】
【００２４】
【図１】実施形態の防湿畳構造を示すもので、図（イ）は畳の断面図、図（ロ）は畳と下地板とを分離状態にして示す断面図、図（ハ）は下地板に畳を敷いた状態の断面図である。
【符号の説明】
【００２５】
１…畳
３…畳表
５…防湿性クッション材（防湿材）
６…防湿シート（防湿材）
７…縫い目
【図１】
2005256502.tif 000003